(57)【要約】【課題】安全キャビネットの内部及び作業員室の室内を確実かつ安全に除染しながら、除染の後、通常の作業に復帰するまでに要する時間を効果的に短縮する。【解決手段】安全キャビネット３の内部３ａと、その安全キャビネット３を室内に設置した作業員室２とを除染ガスにより除染するバイオハザード施設の除染において、安全キャビネット３の内部３ａを作業員室２の室内に対して密閉した状態で、安全キャビネット３の内部３ａには除染ガスとしてホルムアルデヒドガスを充満させ、かつ、作業員室２の室内には除染ガスとして過酸化水素ガスを充満させて、それら安全キャビネット３の内部３ａと作業員室２とを同時に除染する。【選択図】図１
2014171587.tif 000002
【特許請求の範囲】
【請求項１】
生物学的危害がある安全キャビネットの内部と、その安全キャビネットを室内に設置した作業員室とを除染ガスにより同時に除染するバイオハザード施設の除染方法であって、
前記安全キャビネットの内部を前記作業員室の室内に対して密閉した状態で、前記安全キャビネットの内部には前記除染ガスとしてホルムアルデヒドガスを充満させ、かつ、前記作業員室の室内には前記除染ガスとして過酸化水素ガスを充満させて、それら安全キャビネットの内部と作業員室とを同時に除染するバイオハザード施設の除染方法。
【請求項２】
前記作業員室の除染では、過酸化水素ガスを含む外部空気を前記作業員室に供給するのに伴い前記作業員室の室内空気を室外に排出する作業員室側の除染時給排気運転を実施するとともに、
その作業員室側の除染時給排気運転における給気風量と排気風量との風量比率の調整により前記作業員室の室内を室外に対して負圧状態に保つ作業員室側の圧力調整を実施し、
前記安全キャビネットの内部の除染では、ホルムアルデヒドガス及び外部空気を前記安全キャビネットの内部に供給するのに伴い前記安全キャビネットの内部空気を外部に排出するキャビネット側の除染時給排気運転を実施するとともに、
そのキャビネット側の除染時給排気運転における給気風量と排気風量との風量比率の調整により前記安全キャビネットの内部を前記作業員室の室内に対して負圧状態に保つキャビネット側の圧力調整を実施する請求項１記載のバイオハザード施設の除染方法。
【請求項３】
前記作業員室の除染では、前記作業員室側の除染時給排気運転で前記作業員室に供給する外部空気における過酸化水素ガスの含有量を調整することで、前記作業員室の室内における過酸化水素ガス濃度を設定除染濃度に保つ請求項２記載のバイオハザード施設の除染方法。
【請求項４】
前記作業員室側の圧力調整により前記作業員室の室内が室外に対して負圧状態になり、かつ、前記キャビネット側の圧力調整により前記安全キャビネットの内部が前記作業員室の室内に対して負圧状態になるまでは、前記作業員室に供給する外部空気に過酸化水素ガスを含ませない状態で前記作業員室側の除染時給排気運転を実施するとともに、前記安全キャビネットの内部にホルムアルデヒドガスを供給しない状態で前記キャビネット側の除染時給排気運転を実施し、
その後、前記作業員室側の圧力調整により前記作業員室の室内が室外に対して負圧状態になり、かつ、前記キャビネット側の圧力調整により前記安全キャビネットの内部が前記作業員室の室内に対して負圧状態になった後に、先ず、前記作業員室側の除染時給排気運転において前記作業員室に供給する外部空気に過酸化水素ガスを含ませ、
それに続き、前記作業員室における過酸化水素ガス濃度が設定除染濃度まで上昇した後に、前記安全キャビネットの内部に対するホルムアルデヒドガスの供給を開始する請求項２又は３記載のバイオハザード施設の除染方法。
【発明の詳細な説明】
【技術分野】
【０００１】
本発明はバイオハザード施設の除染方法に関し、詳しくは、生物学的危害がある安全キャビネットの内部と、その安全キャビネットを室内に設置した作業員室とを除染ガスにより同時に除染するバイオハザード施設の除染方法に関する。
【背景技術】
【０００２】
生物学的危害がある安全キャビネットの内部の除染については、危険性の高い菌を完全に死滅させて、次の実験等に前の菌の影響が出ないようにすることが要求される。
【０００３】
このため、従来、生物学的危害がある安全キャビネットの内部と、その安全キャビネットを室内に設置した作業員室とを同時に除染するには、除染ガスとして浸透性が高くて殺菌力が高く、また、自己分解も殆どないホルムアルデヒドガスを用いていた。
【先行技術文献】
【特許文献】
【０００４】
【特許文献１】特開昭５８−８３９６０
【発明の概要】
【発明が解決しようとする課題】
【０００５】
しかし、近年、ホルムアルデヒドの発がん性が確認されているため、作業員室の除染にホルムアルデヒドガスを用いた場合、除染後において作業員が安全に入室できる程度までホルムアルデヒドガスの室内濃度を低下させるのに非常に長時間を要し、作業効率の大巾な低下を招いている問題があった。
【０００６】
一方、最近ではホルムアルデヒドガスに比べ安全性の高い除染ガスとして過酸化水素ガスを用いた除染も知られているが、過酸化水素ガスはホルムアルデヒドガスに比べ浸透性・殺菌性に劣るとともに自己分解し易いため、生物学的危害のある安全キャビネットの内部及びその安全キャビネットを室内に設置した作業員室を過酸化水素ガスにより同時に除染した場合、除染後において安全キャビネットの内部における菌が完全に死滅したかどうかを検証する必要が生じ、その検証にコストと時間が必要となる問題がある。
【０００７】
この実情に鑑み、本発明の主たる課題は、合理的な除染方法を採用することにより上記の如き問題を効果的に解消する点にある。
【課題を解決するための手段】
【０００８】
本発明の第１特徴構成は、バイオハザード施設の除染方法に係り、その特徴は、
生物学的危害がある安全キャビネットの内部と、その安全キャビネットを室内に設置した作業員室とを除染ガスにより同時に除染するバイオハザード施設の除染方法であって、
前記安全キャビネットの内部を前記作業員室の室内に対して密閉した状態で、前記安全キャビネットの内部には前記除染ガスとしてホルムアルデヒドガスを充満させ、かつ、前記作業員室の室内には前記除染ガスとして過酸化水素ガスを充満させて、それら安全キャビネットの内部と作業員室とを同時に除染する点にある。
【０００９】
この構成によれば、生物学的危害がある安全キャビネットの内部は、浸透性・殺菌性が高く、また、自己分解も殆どないホルムアルデヒドガスを用いて除染するから、過酸化水素ガスを用いて安全キャビネットの内部を除染する場合のように、除染後において安全キャビネットの内部における菌が完全に死滅したかどうかを検証する必要が生じて、その検証にコストと時間を要するといったことを回避することができる。
【００１０】
また、安全キャビネットの内部ほどは高い浸透性・殺菌性が要求されない作業員室の室内は、ホルムアルデヒドガスに比べて安全性の高い過酸化水素ガスを用いて除染するから、ホルムアルデヒドガスを用いて作業員室の室内を除染する場合のように、除染後において作業員が安全に入室できる程度までホルムアルデヒドガスの室内濃度を低下させるのに非常に長時間を要ることを回避することができる。
【００１１】
そしてまた、安全キャビネットの内部を作業員室の室内に対して密閉した状態で両者を除染するから、安全キャビネットの内部の除染に用いるホルムアルデヒドガスが作業員室に漏出することで、漏出したホルムアルデヒドガスと作業員室の過酸化水素ガスとが反応して作業員室における過酸化水素ガスの室内濃度が有効濃度まで上昇しないといったことや、漏出したホルムアルデヒドガスが作業員室に残留してしまうといったことも回避することができる。
【００１２】
すなわち、これらのことにより、安全キャビネットの内部及び作業員室の室内を確実かつ安全に除染することができ、また、除染の後、作業に復帰するまでに要する時間を従前に比べ効果的に短縮することができて、施設における作業効率を大巾に改善することができる。
【００１３】
本発明の第２特徴構成は、第１特徴構成の実施に好適な実施形態を特定するものであり、その特徴は、
前記作業員室の除染では、過酸化水素ガスを含む外部空気を前記作業員室に供給するのに伴い前記作業員室の室内空気を室外に排出する作業員室側の除染時給排気運転を実施するとともに、
その作業員室側の除染時給排気運転における給気風量と排気風量との風量比率の調整により前記作業員室の室内を室外に対して負圧状態に保つ作業員室側の圧力調整を実施し、
前記安全キャビネットの内部の除染では、ホルムアルデヒドガス及び外部空気を前記安全キャビネットの内部に供給するのに伴い前記安全キャビネットの内部空気を外部に排出するキャビネット側の除染時給排気運転を実施するとともに、
そのキャビネット側の除染時給排気運転における給気風量と排気風量との風量比率の調整により前記安全キャビネットの内部を前記作業員室の室内に対して負圧状態に保つキャビネット側の圧力調整を実施する点にある。
【００１４】
この構成によれば、過酸化水素ガスを含む外部空気を作業員室に供給するのに併行して作業員室側の圧力調整により作業員室の室内を室外に対して負圧状態に保つから、作業員室の除染に用いる過酸化水素ガスが室外に漏出することを確実に防止できるとともに、循環型の過酸化水素ガス発生器を用いた場合のように、過酸化水素ガスの発生で作業員室が高圧になって室破損を招くといったことも確実に防止することができる。
【００１５】
そしてまた、前記安全キャビネットの内部にホルムアルデヒドガスを供給するのに併行してキャビネット側の圧力調整により安全キャビネットの内部を作業員室の室内に対して負圧状態に保つから、安全キャビネットの内部の除染に用いるホルムアルデヒドガスが作業員室に漏出することも一層確実に防止することができて、安全キャビネットの内部から漏出したホルムアルデヒドガスと作業員室の過酸化水素ガスとが反応して作業員室における過酸化水素ガスの濃度が有効濃度まで上昇しないといったことや、安全キャビネットの内部から漏出したホルムアルデヒドガスが作業員室に残留してしまうといったことも一層確実に回避することができる。
【００１６】
本発明の第３特徴構成は、第２特徴構成の実施に好適な実施形態を特定するものであり、その特徴は、
前記作業員室の除染では、前記作業員室側の除染時給排気運転で前記作業員室に供給する外部空気における過酸化水素ガスの含有量を調整することで、前記作業員室の室内における過酸化水素ガス濃度を設定除染濃度に保つ点にある。
【００１７】
この構成によれば、設定除染濃度として過酸化水素ガスによる作業員室の除染に有効な濃度を設定しておけば、仮に安全キャビネットの内部の除染に用いるホルムアルデヒドガスが作業員室に漏出して作業員室の過酸化水素ガスと反応したとしても、作業員室における過酸化水素ガスの濃度を除染に有効な濃度に維持することができ、これにより、過酸化水素ガスを用いながらも作業員室の除染を一層確実にすることができる。
【００１８】
本発明の第４特徴構成は、第２又は第３特徴構成の実施に好適な実施形態を特定するものであり、その特徴は、
前記作業員室側の圧力調整により前記作業員室の室内が室外に対して負圧状態になり、かつ、前記キャビネット側の圧力調整により前記安全キャビネットの内部が前記作業員室の室内に対して負圧状態になるまでは、前記作業員室に供給する外部空気に過酸化水素ガスを含ませない状態で前記作業員室側の除染時給排気運転を実施するとともに、前記安全キャビネットの内部にホルムアルデヒドガスを供給しない状態で前記キャビネット側の除染時給排気運転を実施し、
その後、前記作業員室側の圧力調整により前記作業員室の室内が室外に対して負圧状態になり、かつ、前記キャビネット側の圧力調整により前記安全キャビネットの内部が前記作業員室の室内に対して負圧状態になった後に、先ず、前記作業員室側の除染時給排気運転において前記作業員室に供給する外部空気に過酸化水素ガスを含ませ、
それに続き、前記作業員室における過酸化水素ガス濃度が設定除染濃度まで上昇した後に、前記安全キャビネットの内部に対するホルムアルデヒドガスの供給を開始する点にある。
【００１９】
この構成によれば、作業員室側の圧力調整により作業員室の室内が室外に対して負圧状態になり、かつ、キャビネット側の圧力調整により安全キャビネットの内部が作業員室の室内に対して負圧状態になった後に、先ず、作業員室側の除染時給排気運転において作業員室に供給する外部空気に過酸化水素ガスを含ませるから、安全キャビネットの内部の除染に用いるホルムアルデヒドガスが作業員室に漏出して作業員室の過酸化水素ガスと反応してしまうことを一層確実に防止することができる。
【００２０】
そして、作業員室における過酸化水素ガス濃度が設定除染濃度まで上昇した後に、安全キャビネットの内部に対するホルムアルデヒドガスの供給を開始するから、設定除染濃度として過酸化水素ガスによる作業員室の除染に有効な濃度を設定しておくことで、その後、仮に安全キャビネットの内部の除染に用いるホルムアルデヒドガスが作業員室に漏出して作業員室の過酸化水素ガスと反応したとしても、過酸化水素ガスによる作業員室の除染は確実なものとすることができる。
【図面の簡単な説明】
【００２１】
【図１】バイオハザード施設の設備構成図
【図２】別実施形態を示すバイオハザード施設の設備構成図
【発明を実施するための形態】
【００２２】
図１において、１，２は実験室等の作業員室、３は一方の作業員室２に設置した安全キャビネットであり、この安全キャビネット３の内部３ａでは、生物学的危害がある実験や培養などの作業を行なう。
【００２３】
また、安全キャビネット３には、それを設置した作業員室２の室内に対して内部３ａを密閉にする気密扉３ｂを設けてある。
【００２４】
各作業員室１，２には給気ダクト４及び排気ダクト５を接続してあり、これら給気ダクト４及び排気ダクト５夫々の各作業員室１，２に対する分岐部には締切用ダンパ６を介装し、給気ダクト４及び排気ダクト５夫々の各作業員室１，２に対する接続部には高性能フィルタ７を介装してある。
【００２５】
安全キャビネット３には、排気ダクト５から分岐したキャビネット用排気ダクト８を接続してあり、このキャビネット用排気ダクト８の安全キャビネット３に対する分岐部にも締切用ダンパ９を介装し、キャビネット用排気ダクト８の安全キャビネット３に対する接続部には高性能フィルタ１０を介装してある。
【００２６】
キャビネット用排気ダクト８における締切用ダンパ９と高性能フィルタ１０との間からはキャビネット側の除染用排気ダクト１１を分岐してあり、このキャビネット側の除染用排気ダクト１１には、キャビネット用排気ダクト８の側から順に、締切用ダンパ１２、キャビネット側の除染用排気ファン１３、モータダンパ１４、高性能フィルタ１５、及び、除染ガスを無害化するための触媒層１６を介装してある。
【００２７】
また、安全キャビネット３にはキャビネット側の除染用給気ダクト１７を接続してあり、このキャビネット側の除染用給気ダクト１７には、安全キャビネット３の側から順に、締切用ダンパ１８、ホルムアルデヒドガス発生器１９、キャビネット側の除染用給気ファン２０、安全キャビネット３向きの空気通過のみを許すチャッキダンパ２１（逆止ダンパ）、高性能フィルタ２２を介装してある。
【００２８】
キャビネット側の除染用排気ダクト１１におけるキャビネット側の除染用排気ファン１３とモータダンパ１４との間からはキャビネット側の除染用バイパスダクト２３を分岐し、このキャビネット側の除染用バイパスダクト２３は、キャビネット側の除染用給気ダクト１７におけるキャビネット側の除染用給気ファン２０とチャッキダンパ２１との間に接続してある。
【００２９】
また、キャビネット側の除染用バイパスダクト２３には風量調整ダンパ２４を介装してある。
【００３０】
一方、作業員室１，２の側については、各作業員室１，２に作業員室側の除染用給気ダクト２５を接続し、この作業員室側の除染用給気ダクト２５の各作業員室１，２に対する分岐部には締切用ダンパ２６を介装し、作業員室側の除染用給気ダクト２５における主ダクト部分には、作業員室１，２の側から順に、過酸化水素ガス発生器２７、風量調整ダンパ２８、高性能フィルタ２９、モータダンパ３０を介装してある。
【００３１】
さらに、各作業員室１，２には、作業員室側の除染用排気ダクト３１を接続し、この作業員室側の除染用排気ダクト３１の各作業員室１、２に対する分岐部にも締切用ダンパ３２を介装し、作業員室側の除染用排気ダクト３１における主ダクト部分には、作業員室１，２の側から順に、除染ガス無害化用の触媒層３３、作業員室側の除染用排気ファン３４、風量調整ダンパ３５、高性能フィルタ３６、モータダンパ３７を介装してある。
【００３２】
安全キャビネット３にはその内部３ａの圧力ｐ３を検出する圧力センサ３８ａを設け、また、安全キャビネット３を設置した作業員室２にも、その室内圧力ｐ２（ここでは、作業員室１の室内圧力にも等しい圧力）を検出する圧力センサ３８ｂを設けてある。
【００３３】
また、各作業員室１，２には、室内における過酸化水素ガス濃度ｄ１，ｄ２を検出する濃度センサ３９，４０を設けてある。
【００３４】
４１は、安全キャビネット３の内部３ａ及び各作業員室１，２の室内を同時に除染する際に、両圧力センサ３８ａ，３８ｂの検出圧力ｐ３，ｐ２に基づきキャビネット側の除染用排気ファン１３及びキャビネット側の除染用給気ファン２０の夫々をインバータ制御することで（及び／又は、両圧力センサ３８ａ，３８ｂの検出圧力ｐ３，ｐ２に基づきモータダンパ１４の開度を調整することで）、安全キャビネット３の内部３ａの圧力ｐ３を調整する圧力制御器である。
【００３５】
また、４２は、安全キャビネット３の内部３ａ及び各作業員室１，２の室内を同時に除染する際に、両濃度センサ３９，４０の検出濃度ｄ１，ｄ２に基づき過酸化水素ガス発生器２７を制御することで、各作業員室１，２における過酸化水素ガス濃度ｄ１，ｄ２を調整する濃度制御器である。
【００３６】
さらに、４３は、圧力制御器４１及び濃度制御器４２の上位制御器であり、この上位制御器４３は通常の空調運転と除染運転との連携を司り、具体的には、この上位制御器４３は次の（イ）〜（リ）の制御を実行する。
【００３７】
（イ）安全キャビネット３の密閉扉３ｂが閉じられるとともに、各作業員室１，２から作業員が退避した状態において除染運転の実施指令が付与されると、先ず、空調運転の実施において運転している給気ダクト４に介装の給気ファン（図示省略）及び排気ダクト５に介装の排気ファン（図示省略）夫々の回転速度をインバータ制御により徐々に低下させる。
【００３８】
また、この際、空調運転から継続して安全キャビネット３の内部３ａの圧力ｐ３を作業員室１，２の室内圧力ｐ２より設定第１差圧Δｐｓ１だけ低い圧力に保つように、両圧力センサ３８ａ，３８ｂの検出圧力ｐ３，ｐ２に基づき、給気ファン及び排気ファン夫々の回転速度関係も併行して調整する。
【００３９】
（ロ）安全キャビネット３の内部３ａの圧力ｐ３を作業員室１，２の室内圧力ｐ２より設定第１差圧Δｐｓ１だけ低い圧力に保った状態で給気ファン及び排気ファンの回転速度が所定速度まで低下すると、キャビネット側の除染用排気ダクト１１における締切用ダンパ１２及びキャビネット側の除染用給気ダクト１７における締切用ダンパ１８を開くとともに、圧力制御器４１による圧力調整を起動して、キャビネット側の除染用排気ファン１３及びキャビネット側の除染用給気ファン２０の夫々を両圧力センサ３８ａ，３８ｂの検出圧力ｐ３，ｐ２に基づきインバータ制御しながら立ち上げることで（及び／又は、モータダンパ１４の開度を両圧力センサ３８ａ，３８ｂの検出圧力ｐ３，ｐ２に基づき調整することで）、空調運転に継続して安全キャビネット３の内部３ａの圧力ｐ３を作業員室１，２の室内圧力ｐ２より設定第１差圧Δｐｓ１だけ低い圧力に保つようにする。
【００４０】
即ち、ホルムアルデヒドガスを含まない外部空気をキャビネット側の除染用給気ダクト１７を通じて安全キャビネット３の内部３ａに供給するのに伴い、安全キャビネット３の内部空気をキャビネット側の除染用排気ダクト１１を通じて外部に排出するキャビネット側の除染時給排気運転を開始するとともに、このキャビネット側の除染時給排気運転における給気風量と排気風量との風量比率の調整により安全キャビネット３の内部３ａを作業員室１，２の室内に対して所定の負圧状態に保つキャビネット側の圧力調整を開始する。
【００４１】
（ハ）また、作業員室側の除染用給気ダクト２５における締切用ダンパ２６及び作業員室側の除染用排気ダクト３１における締切用ダンパ３２を開くとともに、作業員室側の除染用排気ファン３４を起動して圧力センサ３８ｂの検出圧力ｐ２に基づきインバータ制御しながら立ち上げることで（及び／又は、モータダンパ３０，３７の開度を圧力センサ３８ｂの検出圧力ｐ２に基づき調整することで）、空調運転に継続して作業員室１，２の室内圧力ｐ２を室外圧力より設定第２差圧Δｐｓ２だけ低い圧力に保つようにする。
【００４２】
即ち、過酸化水素ガスを含まない外部空気を作業員室側の除染用給気ダクト２５を通じて作業員室１，２の室内に供給するのに伴い、作業員室１，２の室内空気を作業員室側の除染用排気ダクト３１を通じて外部に排出する作業員室側の除染時給排気運転を開始するとともに、この作業員室側の除染時給排気運転における給気風量と排気風量との風量比率の調整により作業員室１，２の室内を室外に対して所定の負圧状態に保つ作業員室側の圧力調整を開始する。
【００４３】
なお、作業員室側の除染用排気ファン３４に加えて作業員室側の除染用給気ファンを設ける場合には、作業員室側の除染用排気ファン３４及び作業員室側の除染用給気ファンを立ち上げるのに併行して、作業員室１，２の室内圧力ｐ２を室外圧力より設定第２差圧Δｐｓ２だけ低い圧力に保つように圧力センサ３８ｂの検出圧力ｐ２に基づき作業員室側の除染用排気ファン３４及び作業員室側の除染用給気ファン夫々の回転速度関係をインバータ制御により調整する（及び／又は、モータダンパ３０，３７の開度を圧力センサ３８ｂの検出圧力ｐ２に基づき調整する）。
【００４４】
（ニ）キャビネット側の除染用排気ファン１３及びキャビネット側の除染用給気ファン２０の立ち上がりが完了するとともに、作業員室側の除染用排気ファン３４の立ち上がりが完了すると、給気ファン及び排気ファンを停止して空調運転を完全に停止し、圧力制御器４１によるキャビネット側の除染用排気ファン１３及びキャビネット側の除染用給気ファン２０のインバータ制御（及び／又はモータダンパ１４の開度調整）のみにより、安全キャビネット３の内部３ａの圧力ｐ３を作業員室１，２の室内圧力ｐ２より設定第１差圧Δｐｓ１だけ低い圧力に保つ。
【００４５】
また、作業員室側の除染用排気ファン３４のインバータ制御（及び／又はモータダンパ３０，３７の開度調整）のみにより、作業員室１，２の室内圧力ｐ２を室外圧力より設定第２差圧Δｐｓ２だけ低い圧力に保つ。
【００４６】
そして、空調運転の終了に伴い給気ダクト４及び排気ダクト５における締切用ダンパ６並びにキャビネット用排気ダクト８における締切用ダンパ９を閉じる。
【００４７】
なお、各ダクトに設けた風量調整ダンパ２４，２８，３５は、試運転時に開度調整して、その調整開度に固定してあるものとする。
【００４８】
（ホ）ここで実質の除染運転に入るが、先ず、濃度制御器４２を起動して過酸化水素発生器２７で過酸化水素ガスを発生させ、これにより、過酸化水素ガスを含む外部空気を作業員室側の除染用給気ダクト２５を通じて各作業員室１，２に供給するのに伴い、各作業員室１，２の室内空気を作業員室側の除染用排気ダクト３１を通じて外部に排出する過酸化水素ガス発生を伴う作業員室側の除染時給排気運転を実施する。
【００４９】
なお、この状態においても作業員室側の除染用排気ファン３４のインバータ制御（及び／又はモータダンパ３０，３７の開度調整）により、作業員室１，２の室内圧力ｐ２を室外圧力より設定第２差圧Δｐｓ２だけ低い圧力に保つようにし、この状態で両濃度センサ３９，４０の検出濃度ｄ１，ｄ２が各作業員室１，２の室内除染に有効な作業員室側の設定除染濃度ｄｓまで上昇するのを待つ。
【００５０】
（ヘ）そして、両濃度センサ３９，４０の検出濃度ｄ１，ｄ２が作業員室側の設定除染濃度ｄｓまで上昇すると、両濃度センサ３９，４０の検出濃度ｄ１，ｄ２に基づいて過酸化水素ガス発生器２７における過酸化水素ガスの発生量（換言すれば、外部空気における過酸化水素ガスの含有量）を調整することで、各作業員室１，２の室内における過酸化水素ガス濃度ｄ１，ｄ２を作業員室側の設定除染濃度ｄｓに保つ濃度調整を濃度制御器４２に実行させる。
【００５１】
また、両濃度センサ３９，４０の検出濃度ｄ１，ｄ２が作業員室側の設定除染濃度ｄｓまで上昇すると、ホルムアルデヒドガス発生器１９でホルムアルデヒドガスを発生させ、これにより、ホルムアルデヒドガスを含む外部空気をキャビネット側の除染用給気ダクト１７を通じて安全キャビネット３の内部３ａに供給するのに伴い、安全キャビネット３の内部空気をキャビネット側の除染用排気ダクト１１を通じて外部に排するホルムアルデヒドガス発生を伴うキャビネット側の除染時給排気運転を実施する。
【００５２】
なお、この状態においてもキャビネット側の除染用排気ファン１３及びキャビネット側の除染用給気ファン２０のインバータ制御（及び／又はモータダンパ１４の開度調整）により安全キャビネット３の内部３ａの圧力ｐ３を作業員室１，２の室内圧力ｐ２より設定第１差圧Δｐｓ１だけ低い圧力に保つようにし、この状態で設定除染時間Ｔｓが経過するのを待つ。
【００５３】
即ち、このバイオハザード施設では、安全キャビネット３の気密扉３ｂを閉じて安全キャビネット３の内部３ａを作業員室１，２の室内に対して密閉した状態で、安全キャビネット３の内部３ａには除染ガスとしてホルムアルデヒドガスを充満させ、かつ、作業員室１，２の室内には除染ガスとして過酸化水素ガスを充満させて、それら安全キャビネット３の内部３ａと作業員室１，２とを同時に除染する。
【００５４】
（ト）キャビネット側の除染時給排気運転において安全キャビネット３の内部３ａに対するホルムアルデヒドガスの供給を開始した後、上記の設定除染時間Ｔｓが経過して作業員室１，２の室内除染及び安全キャビネット３の内部除染が実質的に完了すると、作業員室側における過酸化水素ガス発生器２７での過酸化水素ガスの発生及びキャビネット側におけるホルムアルデヒドガス発生器１９でのホルムアルデヒドガスの発生をともに停止する。
【００５５】
そして、その後、過酸化水素ガスを伴わない作業員室側の除染時給排気運転及び作業員室１，２の室内圧力ｐ２を室外圧力より設定第２差圧Δｐｓ２だけ低い圧力に保つ作業員室側の圧力調整、並びに、ホルムアルデヒドガスを伴わないキャビネット側の除染時給排気運転及び安全キャビネット３の内部圧力ｐ３を作業員室１，２の室内圧力ｐ２より設定第１差圧Δｐｓ１だけ低い圧力に保つキャビネット側の圧力調整を設定パージ時間Ｔｐだけ実施して、作業員室１，２や作業員室側の除染用給排気ダクト２５，３１などに残る過酸化水素ガスを掃気するとともに、同じく安全キャビネット３の内部３ａやキャビネット側の除染用給排気ダクト１７，１１及び除染用バイパスダクト２３などに残るホルムアルデヒドガスを掃気するパージ運転を実施する。
【００５６】
（チ）このパージ運転の開始後、上記の設定パージ時間Ｔｐが経過すると、作業員室側の除染用排気ファン３４のその時の回転速度（及び／又はモータダンパ３０，３７のその時の開度）を維持するとともに、キャビネット側の除染用排気ファン１３及びキャビネット側の除染用給気ファン２０のその時の回転速度（及び／又はモータダンパ１４のその時の開度）を維持した状態で、給気ダクト４や排気ダクト５及びキャビネット用排気ダクト８における締切用ダンパ６，９を開くとともに、空調運転用の給気ファン及び排気ファンを起動して立ち上げ、これにより、残存する僅かな過酸化水素ガスや残存する僅かなホルムアルデヒドガスもさらに完全に排除するエアレーション運転を実施する。
【００５７】
なお、このエアレーション運転においても、安全キャビネット３の内部３ａの圧力ｐ３を作業員室１，２の室内圧力ｐ２より設定第１差圧Δｐｓ１だけ低い圧力に保つように、両圧力センサ３８ａ，３８ｂの検出圧力ｐ３，ｐ２に基づき、給気ファン及び排気ファン夫々の回転速度関係を調整する。
【００５８】
（リ）このエアレーション運転の開始後、設定エアレーション時間Ｔａが経過すると、作業員室側の除染用給気ダクト２５及び除染用排気ダクト３１における締切用ダンパ２６，３２を閉じて、作業員室側の除染用排気ファン３４を停止するとともに、キャビネット側の除染用排気ダクト１１及び除染用給気ダクト１７における締切用ダンパ１２，１８を閉じて、キャビネット側の除染用排気ファン１３及び除染用給気ファン２０を停止して、作業員室側及びキャビネット側の除染時給排気運転を終了する。
【００５９】
その後、給気ダクト４を通じて各作業員室１，２に供給する空気の温湿度調整なども再開し、これにより、除染運転を完全に終了して通常の空調運転に復帰する。
【００６０】
〔別実施形態〕
次に本発明の別実施形態を列記する。
【００６１】
前述の実施形態では、キャビネット側の除染用排気ファン１３及び除染用給気ファン２０をインバータ制御により回転速度調整することで、除染運転時に安全キャビネット３の内部圧力ｐ３を作業員室１，２の室内圧力ｐ２より設定第１差圧Δｐｓ１だけ低い負圧状態に保つキャビネット側の圧力調整を行うようにしたが、これに代え、モータダンパ１４などのダンパの開度調整によりキャビネット側の圧力調整を行うようにしてもよい。
【００６２】
また同様に、前述の実施形態では、作業員室側の除染用排気ファン３４をインバータ制御により回転速度調整することで、除染運転時に作業員室１，２の室内圧力ｐ２を室外圧力より設定第２差圧Δｐｓ２だけ低い負圧状態に保つ作業員室側の圧力調整を行うようにしたが、これに代え、モータダンパ３０，３７などのダンパの開度調整により作業員室側の圧力調整を行うようにしてもよい。
【００６３】
前述の実施形態では、ホルムアルデヒドガス発生器１９により発生させたホルムアルデヒドガスを外部空気に含ませた状態で安全キャビネット３の内部３ａに供給するようにしたが、これに代え、ホルムアルデヒドガス発生器１９により発生させたホルムアルデヒドガスを外部給気とは別にして直接に安全キャビネット３の内部３ａに供給するようにしてもよい。
【００６４】
前述の実施形態では、作業員室側の除染時給排気運転において作業員室１，２の室内空気を循環路を通じて循環させることがない全外気方式を採用するようにしたが、図２に示すように、キャビネット側の除染用給気ファン４４を設けるとともに、作業員室側の除染用排気ダクト３１から分岐して除染用給気ファン４４の吸入側に接続する作業員室側の除染用バイパスダクト４５を設け、これにより、作業員室側の除染時給排気運転において作業員室１，２から排出した室内空気の一部を除染用バイパスダクト４５を通じて作業員室１，２に対し循環させる一部循環方式を採用するようにしてもよい。
【００６５】
また、場合によっては、過酸化水素ガス発生器２７により発生させた過酸化水素ガスを外部給気とは別にして直接に作業員室１，２に供給するようにしてもよい。
【００６６】
前述の実施形態では、除染運転時において安全キャビネット３の内部３ａを作業員室１，２の室内に対して密閉状態にするのに、安全キャビネット３の気密扉３ｂを閉じるようにしたが、気密扉３ｂを備えない安全キャビネット３の場合には目張り処理などにより安全キャビネット３の内部３ａを作業員室１，２の室内に対して密閉状態にするようにしてもよい。
【産業上の利用可能性】
【００６７】
本発明によるバイオハザード施設の除染方法は、種々の目的で作業員室の室内に安全キャビネットを設置した各種分野におけるバイオハザード施設において利用することができる。
【符号の説明】
【００６８】
３              安全キャビネット
３ａ            安全キャビネットの内部
２              作業員室
ｄ２            過酸化水素ガス濃度
ｄｓ            設定除染濃度
【図１】
2014171587.tif 000003
【図２】
2014171587.tif 000004